(57)【要約】【課題】  ＴＶに接続した各録画再生装置に設定した録画予約の内容等の情報を、当該録画再生装置の動作をさせること無く、ＴＶのみの操作及び動作によって表示させ確認することができる外部録画再生装置等の録画予約内容等を確認可能なテレビジョン受信機の提供【解決手段】  表示画面１５に表示される映像を取得する画面記憶処理部１０ｂ及び、前記画面記憶処理部１０ｂによって取得された映像を記憶する記憶部１４を備え、且つ、前記記憶部１４に記録された映像の画面表示指示をする制御部１０ａを備えることにより、録画再生装置の録画予約確認画面などを、当該外部録画再生装置等の録画予約内容等を確認可能なテレビジョン受信機１のみの操作及び動作によって表示させる。【選択図】      図１
2005223493.tif 000002
【特許請求の範囲】
【請求項１】
外部録画再生装置が接続されるテレビジョン受信機であって、前記外部録画再生装置の予約録画設定時等における表示画面の映像を取得する画面記憶処理部及び、前記画面記憶処理部によって取得された映像を記憶する記憶部を備え、且つ、前記記憶部に記録された映像の画面表示指示をする制御部を備えたことを特徴とする外部録画再生装置等の録画予約内容等を確認可能なテレビジョン受信機。
【請求項２】
請求項１記載の外部録画再生装置の録画予約内容等を確認可能なテレビジョン受信機であって、前記画面記憶処理部によって取得された映像を所定項目と対応させて前記記憶部へ記録させる画像格納処理部及び、前記記憶部から前記所定項目に対応する映像を抽出することができる抽出処理部を備えたことを特徴とする外部録画再生装置等の録画予約内容等を確認可能なテレビジョン受信機。
【発明の詳細な説明】
【技術分野】
【０００１】
本発明は、外部録画再生装置が接続されるテレビジョン受信機であって、外部録画再生装置等の録画予約内容等を確認可能なテレビジョン受信機に関するものである。
【背景技術】
【０００２】
現在、テレビジョン受信機（以下ＴＶ）及び録画再生装置（ビデオカセットレコーダ（以下ＶＣＲ）・ＤＶＤレコーダ（以下単にＤＶＤ）・ＨＤＤレコーダ（以下単にＨＤＤ）等）などのいわゆるＡＶ機器は家庭に広く普及し、ＴＶに複数の録画再生装置が接続されていることも少なくない。これらの各機器はリモコン装置による遠隔操作が可能であって、各機器ごとにリモコン装置が付属しているのが通常である。従って、ひとつのＡＶシステムに対してリモコン装置が多数存在し、機器の操作が煩雑となる問題があった。
【０００３】
上記した問題に対し、各録画再生装置に対応する複数のリモコンコードを一つの機器で送信できるようにすることにより当該一つの機器で各録画再生装置を操作可能にすることで、問題を解決しようとする手法があり、これに該当する従来技術が、特許文献１及び特許文献２によって開示されている。
【０００４】
また、上記した問題を解決する他の手法として、各録画再生装置及びＴＶを相互に通信線で接続することにより、各機器間における諸情報の送受信を可能とさせ、一つの機器を操作することで各機器を操作できるようにするものがあり、これに該当する従来技術が、特許文献３によって開示されている。
【０００５】
【特許文献１】特開２００２−２３８００１号公報
【特許文献２】特開平８−７９８４７号公報
【特許文献３】特開２００１−３０９４５８号公報
【発明の開示】
【発明が解決しようとする課題】
【０００６】
上記した、各録画再生装置に対応する複数のリモコンコードを一つの機器（以下、統一リモコン装置という）で送信できるようにする手法では、製造メーカー毎にリモコンコードが異なるため、各リモコンコードの設定・選択などが必要な場合があり、煩雑であった。さらに、仮に同一メーカーの製品であっても機種が異なれば利用できる機能も異なるのが通常であり、又、機種が異なれば同様の機能であっても操作手順が異なる場合もあるため、統一リモコン装置のみで多数の録画再生装置の操作をするのには自ずと限界がある。従って、統一リモコン装置によって、録画再生装置に設定した録画予約の内容等を表示させることができるようにすることは必ずしも実用的ではないと共に、仮に、統一リモコン装置によって録画再生装置に設定した録画予約の情報を表示させることができるようにしても、返って煩雑な操作を要することとなる場合があった。
【０００７】
一方、各録画再生装置及びＴＶを相互に通信線で接続する手法では、各機器を通信線で接続する必要があり、当該通信用のインターフェースを備えない機器には適用することができないため、汎用性が低いという問題があった。
【０００８】
また、上記した双方何れの手法においても、ＴＶに接続した各録画再生装置に設定した録画予約の内容等の情報を表示させる場合には、当該録画再生装置を動作させて前記情報をＴＶに表示させるのが一般的であった。
【０００９】
本発明は、ＴＶに接続した各録画再生装置に設定した録画予約の内容等の情報を、当該録画再生装置の動作をさせること無く、ＴＶのみの操作及び動作によって表示させ確認することができる外部録画再生装置等の録画予約内容等を確認可能なテレビジョン受信機を提供することを目的とする。
【課題を解決するための手段】
【００１０】
請求項１の外部録画再生装置等の録画予約内容等を確認可能なテレビジョン受信機は、外部録画再生装置が接続されるテレビジョン受信機であって、前記外部録画再生装置の予約録画設定時等における表示画面の映像を取得する画面記憶処理部及び、前記画面記憶処理部によって取得された映像を記憶する記憶部を備え、且つ、前記記憶部に記録された映像の画面表示指示をする制御部を備えたことを特徴とする。
【００１１】
上記構成によれば、テレビジョン受信機に接続される外部録画再生装置の予約録画設定時等において、テレビジョン受信機の画面に表示されている映像が、画面記憶処理部によって取得され、当該取得された映像が記憶部によって記憶される。当該記憶された映像は、制御部によって画面表示指示される。
【００１２】
請求項２の外部録画再生装置等の録画予約内容等を確認可能なテレビジョン受信機は、請求項１記載の外部録画再生装置の録画予約内容等を確認可能なテレビジョン受信機であって、前記画面記憶処理部によって取得された映像を所定項目と対応させて前記記憶部へ記録させる画像格納処理部及び、前記記憶部から前記所定項目に対応する映像を抽出することができる抽出処理部を備えたことを特徴とする。
【００１３】
上記構成によれば、画像格納処理部によって、映像と所定項目が関連付けられて記憶部に格納される。また、抽出処理部によって、所定項目に対応した映像が、記憶部から取り出される。
【発明の効果】
【００１４】
本発明の請求項１の、外部録画再生装置が接続されるテレビジョン受信機であって、予約録画設定時等における前記外部録画再生装置の表示画面の映像を取得する画面記憶処理部及び、前記画面記憶処理部によって取得された映像を記憶する記憶部を備え、且つ、前記記憶部に記録された映像の画面表示指示をする制御部を備えたことを特徴とする外部録画再生装置等の録画予約内容等を確認可能なテレビジョン受信機によれば、外部録画再生装置の録画予約設定時にＴＶに表示されている録画予約確認画面などを、当該外部録画再生装置等の録画予約内容等を確認可能なテレビジョン受信機自身で記憶できるため、録画予約内容を確認したい場合には、当該外部録画再生装置等の録画予約内容等を確認可能なテレビジョン受信機のみを操作することで、録画再生装置に設定した録画予約内容を確認することができ、操作が簡便である。又、ＴＶに予約画面を表示させながら録画予約設定を行う全ての録画再生装置に適用できるため、汎用性が非常に高い。さらに、録画予約情報の確認時に外部録画再生装置の動作を伴うことがないため、消費電力の低減も図られる。
【００１５】
本発明の請求項２の、請求項１記載の外部録画再生装置の録画予約内容等を確認可能なテレビジョン受信機であって、前記画面記憶処理部によって取得された映像を所定項目と対応させて前記記憶部へ記録させる画像格納処理部及び、前記記憶部から前記所定項目に対応する映像を抽出することができる抽出処理部を備えたことを特徴とする外部録画再生装置等の録画予約内容等を確認可能なテレビジョン受信機によれば、映像と所定項目を関連付けて記憶部に格納することができるため、例えば、「ＡＶ入力端子１（ＶＣＲ）の予約画面」・「ＡＶ入力端子２（ＤＶＤ）の予約画面」・「ＡＶ入力端子２（ＨＤＤ）の予約画面」などの項目と関連付けて各映像（録画予約確認画面など）を記録でき、且つ、抽出処理部により、例えば「ＡＶ入力端子２（ＤＶＤ）の予約画面」に対応する映像を抽出することができる。従って、当該外部録画再生装置等の録画予約内容等を確認可能なテレビジョン受信機に接続された複数の録画再生装置の予約内容等の情報を、当該外部録画再生装置等の録画予約内容等を確認可能なテレビジョン受信機のみを操作することによって簡便且つ迅速に確認することができる。
【発明を実施するための最良の形態】
【００１６】
以下、本発明の具体的実施例について、図面を参照しながら説明する。なお、以下の実施態様は、本発明を具体化する際の一形態であって、本発明をその範囲内に限定するためのものではない。
【実施例１】
【００１７】
図１は本実施例の外部録画再生装置等の録画予約内容等を確認可能なテレビジョン受信機の本発明に係る部分のみの概略を示すブロック図であり、図２は表示画面（録画予約確認画面など）取得動作の概略を示すフローチャート、図３は記憶画像（録画予約確認画面など）表示動作の概略を示すフローチャートである。図４は本実施例の外部録画再生装置等の録画予約内容等を確認可能なテレビジョン受信機に外部記録再生装置であるＶＣＲを接続した使用状態の一例を示す斜視図である。
【００１８】
本実施例の外部録画再生装置等の録画予約内容等を確認可能なテレビジョン受信機１（以下単にテレビジョン受信機１）は、図１に示されるように、マイコン１０・記憶部１４・映像音声表示処理部１３・入力切替部１２・チューナー部１１・ＡＶ入力端子１７及び表示部１５などを備える。入力切替部１２はマイコン１０からの信号を受けてチューナー部１１とＡＶ入力端子１７の切り替えを行い、チューナー部１１又はＡＶ入力端子１７のどちらか一方の信号を出力するものである。映像音声表示処理部１３は、入力切替部１２若しくはマイコン１０からの信号を映像として表示部１５に表示させる処理などを行うものである。
【００１９】
外部記録再生装置であるＶＣＲ４１の録画予約確認画面をテレビジョン受信機１に記憶させる動作の概要を、図１及び図４を参照しつつ説明する。ＶＣＲ４１への録画予約の設定は、テレビジョン受信機１の表示部１５に表示される予約画面を確認しながら、ＶＣＲ４１に付属するリモコン装置４１ｂ等によって行う。このときテレビジョン受信機１では、ＡＶ入力端子１７に接続されるＶＣＲ４１の予約画面を表示するため、入力切替部１２によってＡＶ入力端子１７が選択され、ＡＶ入力端子１７からの信号が映像音声表示処理部１３を経て映像として表示部１５に表示される。ＶＣＲ４１への録画予約の設定時に、図５に示したような録画予約確認画面が表示された（一般的には予約確定時に確認画面として表示される）ときに、テレビジョン受信機１に付属するリモコン装置１ｂの確定キー１ｂ１を入力することにより、当該予約録画確認画面が画像データとしてテレビジョン受信機１に記憶される。
【００２０】
録画予約確認画面の取得時における、テレビジョン受信機１に備えられるマイコン１０の動作の概略を、図１及び図２を参照しつつ説明する。マイコン１０は、確定キー１ｂ１の入力を待ち（ステップ２１）、入力があった場合には、画面記憶処理部１０ｂが入力切替部１２から出力される映像信号を画像データとして取得し（ステップ２２）、当該取得した画像（録画予約確認画面）データを記憶部１４に保存して（ステップ２３）、画面取得動作を終了する。
【００２１】
次に、ＶＣＲ４１の録画予約内容を確認する動作（予約確認モード）の概略を図１及び図３を参照しつつ説明する。マイコン１０は、確認キー１ｂ２の入力を待ち（ステップ３１）、入力があった場合には、記憶部１４の画像（録画予約確認画面）データの有無を確認し（ステップ３２）、該当する画像データがない場合には表示部１５に「予約画面なし」の旨の表示をさせる（ステップ３２ｂ）。一方、記憶部１４に該当する画像データがあった場合には、当該画像データを記憶部１４から取得し、映像音声表示処理部１３を介して画像（録画予約確認画面）を表示部１５に表示させる（ステップ３３・３４）。確認キー１ｂ２の再度の入力があった場合には予約確認モードを終了する（ステップ３５・３６）。
【００２２】
以上のごとく、本実施例の外部録画再生装置等の録画予約内容等を確認可能なテレビジョン受信機１によれば、外部録画再生装置の録画予約内容等を画像データとして、テレビジョン受信機１自身で記憶できるため、外部録画再生装置の録画予約内容の確認をする場合には、リモコン装置１ｂの確認キー１ｂ２を押すことのみによって確認でき、操作が非常に簡便である。また、予約確認動作時に外部録画再生装置の動作を一切伴わないため省電力化が図られる。さらに、外部録画再生装置との接続に特別な通信線などを必要としないため、汎用性が非常に高い。
【００２３】
なお、本実施例においては、予約画面取得時の確定キー１ｂ１及び予約内容確認時の確認キー１ｂ２を、当該機能専用のキーとしてリモコン装置１ｂに設けているが、本発明をこれに限るものではなく、確定キー１ｂ１及び確認キー１ｂ２をテレビジョン受信機１本体の操作部１９に設けても良いし、専用のキーを設けずに、他の操作キーの同時押しなどを各機能操作として割り当てるなどしても良い。
【実施例２】
【００２４】
図６は本実施例の外部録画再生装置等の録画予約内容等を確認可能なテレビジョン受信機の本発明に係る部分のみの概略を示すブロック図であり、図７は画像取得モードの動作の概略を示すフローチャート、図９及び図１０は予約・設定確認モードの動作の概略を示すフローチャートである。
【００２５】
本実施例の外部録画再生装置等の録画予約内容等を確認可能なテレビジョン受信機６０（以下単にテレビジョン受信機６０）は、図６に示されるように、マイコン６１内に抽出処理部６０ｄ及び画像格納処理部６０ｅを備え、ＡＶ入力端子を複数（１７ａ〜１７ｃ）備える。画像格納処理部６０ｅは、画面記憶処理部１０ｂによって取得された画像を所定項目と対応させて記憶部１４へ記録させるものであり、抽出処理部６０ｄは、記憶部１４から所定項目に対応する画像を抽出するものである。なお、実施例１と同様の構成要素には実施例１と同一の符号を使用し、ここでの説明を省略する。
【００２６】
ＡＶ入力端子１７ａ〜１７ｃに接続される外部記録再生装置の録画予約確認画面などをテレビジョン受信機６０に記憶させる動作の概略を、図６を参照しつつ説明する。外部記録再生装置への録画予約などの設定は、実施例１と同様に、テレビジョン受信機６０の表示部１５に表示される予約画面などを確認しながら、当該外部記録再生装置に付属するリモコン装置等によって行う。外部記録再生装置の録画予約確認画面などが表示されたときに、テレビジョン受信機６０に付属するリモコン装置６０ｂの確定キー６０ｂ１を入力すると、当該録画予約確認画面などに対応づける項目を選択するメニュー画面が表示され、ここで選択された項目と録画予約確認画面などの画像データとが関連づけられてテレビジョン受信機６０に記憶される。
【００２７】
録画予約確認画面などの取得時における、テレビジョン受信機６０に備えられるマイコン６１の動作（画像取得モード）の概略を、図６及び図７を参照しつつ説明する。マイコン６１は、ステップ７１でリモコン装置６０ｂの確定キー６０ｂ１の入力を待ち、入力があった場合には、画面記憶処理部１０ｂが入力切替部１２から出力される映像信号を画像データとして取得する（ステップ７２）。このとき制御部１０ａは、入力切替部１２が選択している入力端子を判断できるので、現在の入力端子に応じたメニュー画面を表示させ（ステップ７３）、ステップ７２で取得した画像データと対応付ける画面項目を取得する（ステップ７４）。ステップ７５では、ステップ７２で取得された画像データが、画像格納処理部６０ｅによって、ステップ７４で取得した画面項目と関連づけられて記憶部１４に格納される。
【００２８】
画面項目とは、ステップ７２で取得する画像データに割り振る属性であり、本実施例では、図１２に示すごとく「入力端子」・「画面内容」の属性を有し、全ての画面項目に対して、通し番号である画面項目番号が割り振られる。画面項目の内容は、ユーザによる設定・変更（例えば「ＡＶ１」を「ＡＶ１：ＶＩＤＥＯ」に変更など）が可能である。なお、本実施例においては、初期値として「データなし」の旨の表示画像データが、全ての画面項目（画面項目番号１〜１２）に関連付けられて記憶部１４に格納されており、画像取得モードで画像データと共に画面項目が取得されると、当該画面項目に関連づけられている画像データが、取得された画像データで上書きされていくものである。
【００２９】
図８はステップ７３で表示されるメニュー画面の一例であって、入力切替部１２によって入力端子１７ａ（ＡＶ１）が選択されている（すなわち入力端子１７ａに接続された外部記録再生装置の録画予約設定などを行っている）場合の画面表示例であり、ユーザにカーソール８２をリモコン装置６０ｂ等によって操作させることで、目的の項目を選択させるものである。なお、メニュー画面の表示内容は、前記した画面項目のユーザによる設定・変更に伴って変化する（例えば「ＡＶ１」が「ＡＶ１：ＶＩＤＥＯ」と表示される）ものである。
【００３０】
次に、外部記録再生装置の録画予約内容などを確認する動作（予約・設定確認モード）の概略を図６及び図９・１０を参照しつつ説明する。マイコン６１はステップ１０１において確認キー６０ｂ２の入力を待ち、入力があった場合には、メニュー画面を表示させる等してユーザの確認したい項目をユーザに選択させる（ステップ１０２）。ステップ１０２での選択が予約画面だった場合には、画面項目の画面内容が予約画面であって、且つ、画面項目番号が最小である画像データが、記憶部１４から抽出処理部６０ｄによって取得され（ステップ１０３）、当該画像データは、制御部１０ａ及び映像音声表示処理部１３によって、画面項目が重畳されて、映像（録画予約確認画面）として表示部１５に表示される（ステップ１０４）。
【００３１】
予約画面表示・削除処理１１００では、ステップ１１０で機能キー（削除キー６０ｂ３又は確認キー６０ｂ２又は＋キー若しくは−キー）の入力を待ち、入力されたのが＋キーであれば（ステップ１１３）、画面項目の画面内容が予約画面であって、且つ、画面項目番号が、表示部１５に現在表示中の画像の画面項目番号の次に小さい番号である画像データが、抽出処理部６０ｄによって記憶部１４から取得され（ステップ１１４ａ）、制御部１０ａ及び映像音声表示処理部１３によって画面項目が重畳されて表示部１５に表示される（ステップ１１５）。一方、入力されたのが−キーであれば（ステップ１１３）、画面項目の画面内容が予約画面であって、且つ、画面項目番号が、表示部１５に現在表示中の画像の画面項目番号の次に大きい番号である画像データが取得されて（ステップ１１４ｂ）、画面項目が重畳された上で表示部１５に表示される（ステップ１１５）。ステップ１１１では入力された機能キーが削除キー６０ｂ３であった場合に、表示部１５に現在表示中の映像（録画予約確認画面）に該当する記憶部１４の画像データを「データなし」の旨の表示画像データで上書きする（ステップ１１１ａ・１１１ｂ）。入力された機能キーが確認キー６０ｂ２であった場合には予約・設定確認モードを終了する（ステップ１１２・ステップ１５０）。なお、＋キー及び−キーは、図示しないが、リモコン装置６０ｂやテレビジョン受信機６０本体の操作部１９に専用キーとして設けても良いし、音量を上げ下げするキーなどを予約・設定確認モードにおける＋キー及び−キーとして割り当ててもよい。
【００３２】
ステップ１０２での選択が設定画面だった場合の、設定画面表示・削除処理１２００の動作概念は、予約画面表示・削除処理１１００と同様であるため説明を省略する。
【００３３】
以上のごとく、本実施例の外部録画再生装置等の録画予約内容等を確認可能なテレビジョン受信機６０によれば、テレビジョン受信機６０のリモコン装置６０ｂの確認キー６０ｂ２を押し、表示されたメニューで「予約画面」を選択すると、例えば、図１１の図ａに示したごとき外部録画再生装置の録画予約確認画面に画面項目ａ１１が重畳された映像が表示され、＋キー又は−キーを押すことで図ｂや図ｃに示されるような別の外部録画再生装置の録画予約確認画面に画面項目が重畳された映像に切り替わることとなる。なお、予約・設定確認モードのステップ１０４及びステップ１１５で録画予約確認画面に重畳される画面項目は、画像取得モードにおけるステップ７３で表示されるメニュー画面と同様に、ユーザによる画面項目の設定・変更があった場合にはこれに対応して変化する（例えば「ＡＶ１  予約画面」が「ＡＶ１：ＶＩＤＥＯ  予約画面」等となる）。
【００３４】
本実施例の外部録画再生装置等の録画予約内容等を確認可能なテレビジョン受信機６０によれば、テレビジョン受信機６０のリモコン装置６０ｂのみによって、複数の録画再生装置の録画予約内容などの確認をすることができ、操作が非常に簡便である。また、本実施例のテレビジョン受信機６０によれば、外部録画再生装置の機能設定時の設定画面等も記憶することができるため、何かしらの原因で外部録画再生装置の設定内容等が消失してしまった場合に、気に入っていた設定内容になかなか戻せなくなるというような不都合も生じない。
【００３５】
本実施例においては、＋キー又は−キーを押すことで順番に録画予約確認画面などが切り替わる構成としてあるが、本実施例のテレビジョン受信機６０によれば、表示部１５に表示されている画像を記憶する際にユーザが選択した画面項目に関連付けて画像をテレビジョン受信機６０に記憶することができるため、図９におけるステップ１０２において直接目的の画像（例えば、「ＡＶ２の設定画面３」）を選択させるようにすることもできるし、リモコン装置６０ｂの操作キーに各画像表示機能を割り振る（例えばチャンネルボタン「３」に、ＡＶ３の予約画面表示を割り当てる）ことで、確認キー６０ｂ２を押した後に当該操作キー（チャンネルボタン「３」）を押すことによって該当する画像（ＡＶ入力端子１７ｃに接続された外部録画再生装置の録画予約確認画面）が表示されるようにするといったこともできる。
【図面の簡単な説明】
【００３６】
【図１】実施例１の外部録画再生装置等の録画予約内容等を確認可能なテレビジョン受信機の本発明に係る部分のみの概略を示すブロック図
【図２】実施例１の表示画面取得動作の概略を示すフローチャート
【図３】実施例１の予約確認モードの概略を示すフローチャート
【図４】実施例１の外部録画再生装置等の録画予約内容等を確認可能なテレビジョン受信機の使用状態の一例を示す斜視図
【図５】録画予約確認画面の画面表示例
【図６】実施例２の外部録画再生装置等の録画予約内容等を確認可能なテレビジョン受信機の本発明に係る部分のみの概略を示すブロック図
【図７】実施例２の画像取得モードの概略を示すフローチャート
【図８】実施例２の画面項目選択メニューの画面表示例
【図９】実施例２の予約・設定確認モードの概略を示すフローチャート
【図１０】実施例２の予約・設定確認モードの概略を示すフローチャート
【図１１】録画予約内容の画面表示例
【図１２】画面項目の一例を示す表
【符号の説明】
【００３７】
１  外部録画再生装置等の録画予約内容等を確認可能なテレビジョン受信機
１ｂ  リモコン装置
１０  マイコン
１０ａ  制御部
１０ｂ  画面記憶処理部
１４  記憶部
１５  表示部
１７  ＡＶ入力端子
６０ｄ  抽出処理部
６０ｅ  画像格納処理部
【図１】
2005223493.tif 000003
【図２】
2005223493.tif 000004
【図３】
2005223493.tif 000005
【図４】
2005223493.tif 000006
【図５】
2005223493.tif 000007
【図６】
2005223493.tif 000008
【図７】
2005223493.tif 000009
【図８】
2005223493.tif 000010
【図９】
2005223493.tif 000011
【図１０】
2005223493.tif 000012
【図１１】
2005223493.tif 000013
【図１２】
2005223493.tif 000014